(57)【要約】【課題】手すりの水平長さを迅速かつ容易に変化させ、展開又は収納する時間を大幅に短縮するクイックロック伸縮ベッド用手すりを提供する。【解決手段】クイックロック伸縮ベッド用手すりは、上伸縮杆セット１、可動関節セット２、下伸縮杆セット３及び押付け部材４を備える。上伸縮杆セット１は、直立杆１１、上横向内杆１２及び上横向外管１３を含む。直立杆１１の本数は２本である。２本の直立杆１１の頂端には、上横向内杆１２がそれぞれ接続される。２本の上横向内杆１２間には、上横向外管１３が嵌着される。上横向外管１３内に挿設された２本の上横向内杆１２の内端には、押付け部材４がそれぞれ結合される。直立杆１１の底端には、可動関節セット２の立杆枢着端２２が嵌着される。【選択図】図１
0003198813.tif 000002
【実用新案登録請求の範囲】
【請求項１】
上伸縮杆セット、可動関節セット、下伸縮杆セット及び押付け部材を備えたクイックロック伸縮ベッド用手すりであって、
前記上伸縮杆セットは、直立杆、上横向内杆及び上横向外管を含み、前記直立杆の本数は２本であり、前記２本の直立杆の頂端には、前記上横向内杆がそれぞれ接続され、前記２本の上横向内杆間には、上横向外管が嵌着され、前記上横向外管内に挿設された前記２本の上横向内杆の内端には、前記押付け部材がそれぞれ結合され、前記直立杆の底端には、前記可動関節セットの立杆枢着端が嵌着され、
前記可動関節セットは、枢着関節及び立杆枢着端を含み、前記枢着関節の数は２つであり、前記枢着関節には、前記立杆枢着端が枢着され、前記立杆枢着端には、直立杆が嵌合され、前記２つの枢着関節には、下杆接合端がそれぞれ設けられ、前記２つの下杆接合端間には、前記下伸縮杆セットの下横向内杆が接続され、
前記下伸縮杆セットは、下横向内杆及び下横向外管を含み、前記下横向内杆の本数は２本であり、前記２本の下横向内杆は、前記２つの枢着関節にそれぞれ接続され、前記２本の下横向内杆間には前記下横向外管が嵌着され、前記下横向外管内に挿設された前記２本の下横向内杆の内端には、前記押付け部材がそれぞれ結合され、
前記押付け部材は、結合端、凸柱、円弧板及び当接端を含み、前記結合端の数は、前記上横向内杆と前記下横向内杆とを加えた数に等しく、前記結合端のそれぞれは、前記２本の上横向内杆と、前記２本の下横向内杆の内端とにそれぞれ取り付けられ、前記結合端の一側には、凸柱が設けられ、前記凸柱は、前記結合端上の偏心位置に配置され、前記凸柱の側縁は湾曲されて円弧板が形成され、前記円弧板は、弾性材料からなり、前記円弧板の終端部は、前記凸柱と一体成形され、前記円弧板の前段部及び中段部は、前記凸柱と分離され、前記円弧板の前段部には、当接端が形成され、
ユーザにより前記上横向外管及び前記下横向外管が順方向で回転されると、前記凸柱が前記結合端上の偏心位置に配置されているため、前記上横向外管及び前記下横向外管の内壁が、各偏心凸柱上の前記円弧板に優先的に押圧され、前記円弧板の当接端が前記円弧板の終端部に当接され、前記円弧板の中段部が隆起して突出し、前記上横向外管及び前記下横向外管の内壁に強く押圧され、前記上横向外管、前記２つの上横向内杆及び前記下横向外管、前記２つの下横向内杆により迅速に長さを調整して固定し、前記上伸縮杆セット及び前記下伸縮杆セットを展開又は収納された状態にすることを特徴とするクイックロック伸縮ベッド用手すり。
【請求項２】
前記可動関節セットの前記枢着関節には、前記底杆枢着端が枢着され、
前記底杆枢着端には、底杆が嵌合されることを特徴とする請求項１に記載のクイックロック伸縮ベッド用手すり。
【請求項３】
前記底杆の終端部には、底板が取り付けられ、
前記底板は扁平状であることを特徴とする請求項２に記載のクイックロック伸縮ベッド用手すり。
【請求項４】
前記上伸縮杆セットの前記直立杆、前記上横向内管、前記上横向外管及び前記下伸縮杆セットの前記下横向内杆、前記下横向外管に形成された枠型手すりには網布が嵌合され、
前記網布の左右両側及び上下両側には複数の開口が形成され、前記開口の近傍には、カバークロスがそれぞれ接続され、前記カバークロスと前記網布との間には、接合部材が設けられていることを特徴とする請求項１に記載のクイックロック伸縮ベッド用手すり。
【考案の詳細な説明】
【技術分野】
【０００１】
本考案は、クイックロック伸縮ベッド用手すりに関し、特に、ベッドの枠部に結合され、ベッドから人が落下することを防ぐ手すりに関する。
【背景技術】
【０００２】
従来のベッドの枠部に取り付けられる手すりには、一般にベッドのフレームに連結固定される金属製又はプラスチック製の手すりが使用される。手すりは、仕切って、保護する効果を有するが、調整したり移動したりすることができず、使用上不便であった。
【０００３】
容易に調整、移動又は収納するために、従来の様々なベッド枠部に取り付けられる手すりは、通常、マットレス底部に至るまで延びた固定構造を底部に有し、それはベッドの枠部から取り外すことは容易であったが、手すりの水平長さが固定されているため調整することは困難であった。そのため、様々なサイズのベッドに適応使用することは困難である上、収納の際に大きな占有空間が必要であるという問題点があった。
【考案の概要】
【考案が解決しようとする課題】
【０００４】
本考案の目的は、手すりの水平長さを迅速かつ容易に変化させ、展開又は収納する時間を大幅に短縮するクイックロック伸縮ベッド用手すりを提供することにある。
【図面の簡単な説明】
【０００５】
【図１】本考案の一実施形態に係るクイックロック伸縮ベッド用手すりを示す斜視図である。
【図２】本考案の一実施形態に係る押付け部材を示す部分拡大図である。
【図３】本考案の一実施形態に係る押付け部材を示す断面図である。
【図４】本考案の一実施形態に係るクイックロック伸縮ベッド用手すりの展開状態を示す平面図である。
【図５】本考案の一実施形態に係るクイックロック伸縮ベッド用手すりの円弧板が隆起して突出され、管壁上に強く当接された状態を示す断面図である。
【図６】本考案の一実施形態に係るクイックロック伸縮ベッド用手すりの収納状態を示す平面図である。
【図７】本考案の一実施形態に係る円弧板の変形作用力が無くなった状態を示す断面図である。
【図８】本考案の一実施形態に係るクイックロック伸縮ベッド用手すりの網布上に設けた開口及びカバークロスを示す平面図である。
【考案を実施するための形態】
【０００６】
図１を参照する。図１に示すように、本考案の一実施形態に係るクイックロック伸縮ベッド用手すりは、少なくとも上伸縮杆セット１、可動関節セット２、下伸縮杆セット３及び押付け部材４から構成されてなる。
【０００７】
上伸縮杆セット１は、直立杆１１、上横向内杆１２及び上横向外管１３を含む。直立杆１１の本数は２本である。２本の直立杆１１の頂端には、上横向内杆１２がそれぞれ接続されている。２本の上横向内杆１２間には、上横向外管１３が嵌着され、上横向外管１３内に挿設された２本の上横向内杆１２の内端には、押付け部材４がそれぞれ結合され、直立杆１１の底端には、可動関節セット２の立杆枢着端２２が嵌着されている。
【０００８】
可動関節セット２は、枢着関節２１、立杆枢着端２２、底杆枢着端２３及び底杆２４を含む。枢着関節２１の数は２つである。枢着関節２１には、立杆枢着端２２及び底杆枢着端２３がそれぞれ枢着される。立杆枢着端２２には、直立杆１１が嵌合される。底杆枢着端２３には、底杆２４が嵌合される。底杆２４の終端部には、底板２４１が取り付けられる。底板２４１は扁平状である。２つの枢着関節２１には、下杆接合端２１１がそれぞれ設けられ、２つの下杆接合端２１１間には、下伸縮杆セット３の下横向内杆３１が接続されている。
【０００９】
下伸縮杆セット３は、下横向内杆３１及び下横向外管３２を含む。下横向内杆３１の本数は２本である。２本の下横向内杆３１は、２つの枢着関節２１にそれぞれ接続され、２本の下横向内杆３１間には下横向外管３２が嵌着され、下横向外管３２内部に挿設された２本の下横向内杆３１の内端には、押付け部材４がそれぞれ結合される。
【００１０】
図１及び図２を参照する。図１及び図２に示すように、押付け部材４は、結合端４１、凸柱４２、円弧板４３及び当接端４４を含む。結合端４１の数は、上横向内杆１２と下横向内杆３１とを加えた数に等しい。各結合端４１は、２本の上横向内杆１２と、２本の下横向内杆３１の内端とにそれぞれ取り付けられ、結合端４１の一側には、凸柱４２が設けられている。凸柱４２は、結合端４１上の偏心位置に配置される。図３を参照する。図３に示すように、凸柱４２の側縁は湾曲されて円弧板４３が形成される。円弧板４３は、弾性材料からなる。円弧板４３の終端部は、凸柱４２と一体成形され、円弧板４３の前段部及び中段部は、凸柱４２と分離されている。円弧板４３の前段部には、当接端４４が形成されている。円弧板４３が押圧されると、当接端４４が円弧板４３の終端部に当接される。
【００１１】
図４を参照する。図４に示すように、本考案の一実施形態に係るクイックロック伸縮ベッド用手すりを実際に使用する際、可動関節セット２の２本の底杆２４は、２つの底板２４１を介してベッド縁からマットレス底部に挿設される。上伸縮杆セット１の直立杆１１、上横向内杆１２、上横向外管１３及び下伸縮杆セット３の下横向内杆３１、下横向外管３２により形成された枠型手すり上には網布５が嵌合され、ベッドの縁から人が落下することを防ぐために網布が設置されている。
【００１２】
本考案の一実施形態に係るクイックロック伸縮ベッド用手すりは、展開及び収納の２種類の状態を含む。展開状態にする場合、２本の直立杆１１を外方へ引っ張り出した後、２本の上横向内杆１２及び２本の下横向内杆３１を、上横向外管１３及び下横向外管３２の両側へ向かって外方へ引っ張り出し、２本の上横向内杆１２及び２本の下横向内杆３１が所定の長さになるまで徐々に延ばされる。図５を併せて参照すると分かるように、凸柱４２が結合端４１上の偏心位置に配置されているため、上横向外管１３及び下横向外管３２が順方向で回転すると、上横向外管１３及び下横向外管３２の内壁が、各偏心凸柱４２上の円弧板４３に優先的に押圧される。円弧板４３が上横向外管１３及び下横向外管３２の内壁により押圧されると、各円弧板４３に加わる外力により押圧方向へ押し動かされ、各円弧板４３の当接端４４が円弧板４３の終端部に当接され、上横向外管１３及び下横向外管３２が回転し続けるとともに、各円弧板４３が上横向外管１３及び下横向外管３２の内壁により押し動かされ続け、円弧板４３が弾性材料からなるため、円弧板４３の中段部が変形して隆起し、各円弧板４３の中段部が隆起して突出した状態となり、上横向外管１３及び下横向外管３２の内壁に強く押圧され、上横向外管１３及び下横向外管３２と凸柱４２との間が、各円弧板４３から隆起して突出された中段部により押圧されるため、上横向外管１３及び下横向外管３２が摺動し続けたり回転し続けたりせず、上横向外管１３を介して両側の上横向内杆１２が螺着され、下横向外管３２により両側の下横向内杆３１を螺着し、上横向内杆１２及び下横向内杆３１が延びて長めとなり、上横向外管１３及び下横向外管３２の両側に接続され、上伸縮杆セット１及び下伸縮杆セット３を長めの接続長さに維持して展開された状態にする。図６及び図７に示すように、収納状態にするときは、まず、ユーザが上横向外管１３及び下横向外管３２を逆方向へ回転させると、上横向外管１３及び下横向外管３２が各円弧板４３を反対方向へ押し動かし、各円弧板４３の当接端４４を円弧板４３の終端部から外し、各円弧板４３の変形作用力が無くなると、各円弧板４３の中段部は隆起せず、係合状態が解除された後、２本の直立杆１１が内方へ押し動かされた後、２本の上横向内杆１２及び２本の下横向内杆３１が上横向外管１３及び下横向外管３２の内部に向かって押し出され、上横向内杆１２及び下横向内杆３１が縮んで短めになって上横向外管１３及び下横向外管３２の両側に接続され、上伸縮杆セット１と下伸縮杆セット３との接続長さが短くなり、収納状態となる。
【００１３】
図８を参照する。図８に示すように、網布５の左右両側及び上下両側には、複数の開口５１が形成され、これら複数の開口５１を介して２本の直立杆１１、上横向外管１３及び下横向外管３２が外部に露出されるため、利用者はこれらの杆、管体を直接掴んで展開又は収容し、各開口５１の近傍にはカバークロス５２が接続される。各カバークロス５２と網布５との間には、接合部材５３が設けられ、カバークロス５２は網布５上に連結固定される。接合部材５３は、面ファスナー又はボタンでもよい。
【００１４】
上述したことから分かるように、本考案のクイックロック伸縮ベッド用手すりは、ユーザが片手で上横向外管及び下横向外管を順方向へ回転させると、円弧板が隆起して突出した状態となるため、上伸縮杆セットと下伸縮杆セットとが迅速かつ容易に螺着され、反対に、上横向外管及び下横向外管が逆方向へ回転されると、円弧板が外れて上横向外管及び下横向外管が自在に摺動可能な状態となり、上横向外管及び下横向外管内で上横向内管及び下横向内管を選択的に押し入れるか引き出して上下伸縮杆セットの伸縮を行うことにより、手すり構造を展開又は収納する時間を大幅に短縮することができる。
【符号の説明】
【００１５】
１    上伸縮杆セット
２    可動関節セット
３    下伸縮杆セット
４    押付け部材
５    網布
１１  直立杆
１２  上横向内杆
１３  上横向外管
２１  枢着関節
２２  立杆枢着端
２３  底杆枢着端
２４  底杆
３１  下横向内杆
３２  下横向外管
４１  結合端
４２  凸柱
４３  円弧板
４４  当接端
５１  開口
５２  カバークロス
５３  接合部材
２１１  下杆接合端
２４１  底板
【図１】
0003198813.tif 000003
【図２】
0003198813.tif 000004
【図３】
0003198813.tif 000005
【図４】
0003198813.tif 000006
【図５】
0003198813.tif 000007
【図６】
0003198813.tif 000008
【図７】
0003198813.tif 000009
【図８】
0003198813.tif 000010